【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】  番組に関する番組情報を入力する番組情報入力手段と、
番組の録画予約を行うための番組録画予約手段と、
記録媒体への前記番組のコンテンツをもつデータの書き込みおよび消去を行う記録手段と、
前記番組情報入力手段から入力した番組情報を保存し、前記録画予約によりまたは前記録画予約によらず、前記番組を前記記録手段に記録させる管理手段とを備え、
前記管理手段は、前記記録手段がその録画予約された番組のコンテンツをもつデータの、前記記録媒体への書き込みを実行する時点での前記記録媒体の空き領域の不足を、少なくとも前記番組情報、前記記録媒体の記録状況、および前記番組の録画予約状況を含む番組管理情報の参照によって予測し、前記空き領域が不足する場合には、番組の前記書き込みを実行する時点での消去可否に関する基準を含む所定の基準にしたがって、すでに録画されている番組、またはすでに録画予約されている番組の中から、前記書き込みを実行する時点において消去するべき番組を決定することを特徴とする番組記録装置。
【請求項２】  番組に関する番組情報を入力する番組情報入力手段と、
番組の録画予約を行うための番組録画予約手段と、
記録媒体への前記番組のコンテンツをもつデータの書き込みおよび消去を行う記録手段と、
前記番組情報入力手段から入力した番組情報を保存し、前記録画予約によりまたは前記録画予約によらず、前記番組を前記記録手段に記録させる管理手段とを備え、
前記管理手段は、前記記録媒体の空き領域の不足を、少なくとも前記番組情報、前記記録媒体の記録状況、および前記番組の録画予約状況を含む番組管理情報の参照によって認識し、前記空き領域が不足する場合には、番組の前記書き込みを実行する時点での消去可否に関する基準を含む所定の基準にしたがって、すでに録画されている番組、またはすでに録画予約されている番組の中から、前記書き込みを実行する時点において消去するべき番組を決定することを特徴とする番組記録装置。
【請求項３】  前記消去するべき番組の決定は、前記番組管理情報および前記消去可否に関する基準を利用して行われることを特徴とする請求項１または２の何れかに記載の番組記録装置。
【請求項４】  前記消去するべき番組の決定は、前記記録手段の行った記録動作の履歴をも利用して行われることを特徴とする請求項３に記載の番組記録装置。
【請求項５】  前記番組の消去可否の決定または前記消去するべき番組の決定は、録画または録画予約されている前記番組の放送開始日時、放映時間、視聴回数、種類の何れかを利用して行われることを特徴とする請求項１または２の何れかに記載の番組記録装置。
【請求項６】  前記所定の基準における前記消去可否に関する基準は、前記番組の種類ごとに設定されていることを特徴とする請求項１または２の何れかに記載の番組記録装置。
【請求項７】  前記所定の基準は、自由に変更することができることを特徴とする請求項１から６の何れかに記載の番組記録装置。
【請求項８】  前記番組情報は電子番組情報であることを特徴とする請求項１から６の何れかに記載の番組記録装置。
【請求項９】  前記種類は、電子番組情報に含まれる情報および／またはユーザが入力する情報に基づいて決定されることを特徴とする請求項５または６の何れかに記載の番組記録装置。
【請求項１０】  前記消去可否に関する基準が消去不可であるような前記録画予約されている番組の録画予約を取り消すためには、ユーザによる前記録画予約の取り消しの指示が必要であることを特徴とする請求項１または２の何れかに記載の番組記録装置。
【請求項１１】  請求項１記載の番組記録装置の、番組に関する番組情報を入力する番組情報入力手段、番組の録画予約を行うための番組録画予約手段、記録媒体への前記番組のコンテンツをもつデータの書き込みおよび消去を行う記録手段、前記番組情報入力手段から入力した番組情報を保存し、前記録画予約によりまたは前記録画予約によらず、前記番組を前記記録手段に記録させる管理手段としてコンピュータを機能させるためのプログラムを記録したプログラム記録媒体であって、コンピュータにより処理可能であることを特徴とするプログラム記録媒体。
【請求項１２】  請求項２記載の番組記録装置の、番組に関する番組情報を入力する番組情報入力手段、番組の録画予約を行うための番組録画予約手段、記録媒体への前記番組のコンテンツをもつデータの書き込みおよび消去を行う記録手段、前記番組情報入力手段から入力した番組情報を保存し、前記録画予約によりまたは前記録画予約によらず、前記番組を前記記録手段に記録させる管理手段としてコンピュータを機能させるためのプログラムを記録したプログラム記録媒体であって、コンピュータにより処理可能であることを特徴とするプログラム記録媒体。
【手続補正２】
【補正対象書類名】明細書
【補正対象項目名】００４１
【補正方法】変更
【補正の内容】
【００４１】
【課題を解決するための手段】
第一の本発明（請求項１に対応）は、番組に関する番組情報を入力する番組情報入力手段と、
番組の録画予約を行うための番組録画予約手段と、
記録媒体への前記番組のコンテンツをもつデータの書き込みおよび消去を行う記録手段と、
前記番組情報入力手段から入力した番組情報を保存し、前記録画予約によりまたは前記録画予約によらず、前記番組を前記記録手段に記録させる管理手段とを備え、
前記管理手段は、前記記録手段がその録画予約された番組のコンテンツをもつデータの、前記記録媒体への書き込みを実行する時点での前記記録媒体の空き領域の不足を、少なくとも前記番組情報、前記記録媒体の記録状況、および前記番組の録画予約状況を含む番組管理情報の参照によって予測し、前記空き領域が不足する場合には、番組の前記書き込みを実行する時点での消去可否に関する基準を含む所定の基準にしたがって、すでに録画されている番組、またはすでに録画予約されている番組の中から、前記書き込みを実行する時点において消去するべき番組を決定することを特徴とする番組記録装置である。
【手続補正３】
【補正対象書類名】明細書
【補正対象項目名】００４２
【補正方法】変更
【補正の内容】
【００４２】
第二の本発明（請求項２に対応）は、番組に関する番組情報を入力する番組情報入力手段と、
番組の録画予約を行うための番組録画予約手段と、
記録媒体への前記番組のコンテンツをもつデータの書き込みおよび消去を行う記録手段と、
前記番組情報入力手段から入力した番組情報を保存し、前記録画予約によりまたは前記録画予約によらず、前記番組を前記記録手段に記録させる管理手段とを備え、
前記管理手段は、前記記録媒体の空き領域の不足を、少なくとも前記番組情報、前記記録媒体の記録状況、および前記番組の録画予約状況を含む番組管理情報の参照によって認識し、前記空き領域が不足する場合には、番組の前記書き込みを実行する時点での消去可否に関する基準を含む所定の基準にしたがって、すでに録画されている番組、またはすでに録画予約されている番組の中から、前記書き込みを実行する時点において消去するべき番組を決定することを特徴とする番組記録装置である。
【手続補正４】
【補正対象書類名】明細書
【補正対象項目名】００５１
【補正方法】削除
【補正の内容】
【手続補正５】
【補正対象書類名】明細書
【補正対象項目名】００５２
【補正方法】削除
【補正の内容】
【手続補正６】
【補正対象書類名】明細書
【補正対象項目名】００５３
【補正方法】変更
【補正の内容】
【００５３】
第十一の本発明（請求項１１に対応）は、第一の本発明の番組記録装置の、番組に関する番組情報を入力する番組情報入力手段、番組の録画予約を行うための番組録画予約手段、記録媒体への前記番組のコンテンツをもつデータの書き込みおよび消去を行う記録手段、前記番組情報入力手段から入力した番組情報を保存し、前記録画予約によりまたは前記録画予約によらず、前記番組を前記記録手段に記録させる管理手段としてコンピュータを機能させるためのプログラムを記録したプログラム記録媒体であって、コンピュータにより処理可能であることを特徴とするプログラム記録媒体である。
第十二の本発明（請求項１２に対応）は、第二の本発明の番組記録装置の、番組に関する番組情報を入力する番組情報入力手段、番組の録画予約を行うための番組録画予約手段、記録媒体への前記番組のコンテンツをもつデータの書き込みおよび消去を行う記録手段、前記番組情報入力手段から入力した番組情報を保存し、前記録画予約によりまたは前記録画予約によらず、前記番組を前記記録手段に記録させる管理手段としてコンピュータを機能させるためのプログラムを記録したプログラム記録媒体であって、コンピュータにより処理可能であることを特徴とするプログラム記録媒体である。
【手続補正７】
【補正対象書類名】明細書
【補正対象項目名】０１６６
【補正方法】削除
【補正の内容】
【手続補正８】
【補正対象書類名】明細書
【補正対象項目名】０１６７
【補正方法】削除
【補正の内容】
【手続補正９】
【補正対象書類名】明細書
【補正対象項目名】０１６８
【補正方法】変更
【補正の内容】
【０１６８】
請求項１１に対応する第十一の本発明は、番組の種類ごとに適切なデータの保存、消去などの管理を行うことを特徴とするプログラム記録媒体を提供することができる。
請求項１２に対応する第十二の本発明は、番組の種類ごとに適切なデータの保存、消去などの管理を行うことを特徴とするプログラム記録媒体を提供することができる。